Podtech/llm-jp-corpus-v4-ja_patent huggingface dataset:
(57)【要約】【課題】バーミラー要因で発生するレーザーエラーとその他のレーザーエラーの自動判別をする。【解決手段】位置検出用のレーザー干渉計とは別に、既存のレーザー光源を流用してバーミラーの反射率を計測するシステムを追加する。そして、計測結果をコントローラに取り込み、バーミラー要因で発生するレーザーエラーとその他のレーザーエラーの自動判別をする。【選択図】  図１
2015079808.tif 000002
【特許請求の範囲】
【請求項１】
ＸＹ移動ステージの位置決め制御に用いているレーザー光を構成Ａの分光器を用いて一部分光し、その分光されたレーザー光を用いて反射ミラーの反射率を計測することを特徴とする露光装置。
【請求項２】
コントローラは、反射ミラーの反射率が既定値以下になると、アラームを発生することを特徴とする請求項１に記載の露光装置。
【発明の詳細な説明】
【技術分野】
【０００１】
本発明は、露光装置のメンテナンス方法に関する。
【背景技術】
【０００２】
図２に示す一般的な露光装置の移動ステージは、レーザー干渉計でステージ位置を検出し、リニアモータ等のアクチュエータで制御しながらＸＹ方向に動かす。そして、このステージは、広い範囲での位置検出を要する為、長い反射ミラーを搭載する。
【０００３】
精密制御を行う露光装置では、測長時の参照光や干渉光のレーザーパワーが低下すると制御性能に影響する。その為、従来の露光装置では、参照光のレーザーパワーを測定するパワーメーター８ｅと測定光と参照光の干渉光のレーザーパワーを測定するパワーメーター８ｆを持ち、それぞれの測定値が既定値以下になるとコントローラ７がレーザーエラーと判断して露光装置の一連の動作を停止させる。
【０００４】
特許文献１は、本発明とは構成も目的も異なるが、光ビームを被検査物に照射して被検査面上の表面状態を検査する装置を備えた露光装置である。この従来の露光装置は、被検査物に光ビームを照射すると共に、該光ビームの照射部を被検査面上で相対的に走査する走査手段と、該照射部から生じる光情報を異なる位置で受光する複数の光電検出器と、該光電検出器の各光電信号に基づいて、被検査面上の異物の付着を検知する異物検知回路を備えたことを特徴とする。
【先行技術文献】
【特許文献】
【０００５】
【特許文献１】特開昭５９−６１７６２号公報
【発明の概要】
【発明が解決しようとする課題】
【０００６】
従来の露光装置では、バーミラー要因で発生するレーザーエラーとその他のレーザーエラーの切り分けが出来ない。バーミラーの反射率が低下すると、干渉光のレーザーパワーも低下しレーザーエラーとなる。ステージに搭載されるような長いバーミラーは、全面が均等な反射率になるように作るのは難しい。また、メンテナンス時についた傷やアウトガスによって経時的に反射率は低減するものである。レーザーエラーを誘発する要因は、バーミラーの反射率低下を含め複数存在するため、その切り分けを自動化することはメンテナンス時間の短縮という点から考えて有意性が高い。
【課題を解決するための手段】
【０００７】
位置検出用のレーザー干渉計とは別に、既存のレーザー光源を流用してバーミラーの反射率を計測するシステムを追加する。そして、計測結果をコントローラに取り込み、バーミラー要因で発生するレーザーエラーとその他のレーザーエラーの自動判別をする。
【発明の効果】
【０００８】
バーミラー要因で発生するレーザーエラーとその他のレーザーエラーの自動判別が出来るので、メンテナンス時間の短縮に繋がる。
【０００９】
加えて、特許文献１のような異物検知装置を別途要せず、既存の光源を流用して反射率を求めることで、安価でシステムが実現できる。
【図面の簡単な説明】
【００１０】
【図１】本発明の第１実施形態の露光装置を示した図である。
【図２】従来例の露光装置の移動ステージを示した図である。
【発明を実施するための形態】
【００１１】
以下に、本発明の好ましい実施形態を添付の図面に基づいて詳細に説明する。
【００１２】
〔第1実施形態〕
図１は、本発明の第１実施形態の露光装置の俯瞰図である。図１を参照して、露光装置の説明をする。
【００１３】
徐振台９は、工場などの床１０に設けられる。ステージ５は、リニアモータなどのアクチュエータにより図のＸＹ方向に駆動できるものとする。ステージ５には、反射ミラー４が設けられ、レーザー干渉計３にてＸ方向の位置計測をする。レーザー干渉３は、レーザーヘッド１を光源とする。これらは、全て徐振台１５に固定されている。コントローラ７は、レーザー干渉計３で計測した位置情報をもとにステージ５の位置決め制御を行う手段である。
【００１４】
本発明では、構成Ａを追加する。構成Ａは徐振台９に固定され、分光器２、干渉計１１、１／４λ板１２、パワーメーター１３ａ，１３ｂから成り、参照光を１３ａで測定光を１３ｂで個別に測定する手段である。分光器２は、レーザーヘッド１から出力された測長用の参照光と測定光を其々一部分光して、干渉計１１に入射する。干渉計１１で反射した参照光は、パワーメーター１３ａにてレーザーパワーを測定する。干渉計１１を透光し、反射ミラーで反射した測定光は、干渉計１１で再度反射して、パワーメーター１３ｂにてレーザーパワーを測定する。
【００１５】
コントローラ７は、信号線１４ａ，１４ｂを介してパワーメーター１３ａ，１３ｂと接続され、反射ミラー４の反射率を算出する手段である。ここで反射ミラー４の反射率ｒは、パワーメーター１３ａと１３ｂの計測値をそれぞれα、βとするとｒ＝β／αで表す。但し、αとβは初期値が同じとは限らないので、反射ミラー４をステージ５に搭載する前に、その比率γ = β初期値／α初期値を求める。γを考慮すると、バーミラーの反射率Ｒは、Ｒ＝ｒ／γとなる。
【００１６】
コントローラ７は、ステージ５の各位置おける反射率Ｒの経時変化を監視して、既定値以下になるとアラームを出力することで、レーザーエラーの自動判別を実現することが出来る。
【００１７】
以上、本発明の好ましい実施形態について説明したが、本発明はこれらの実施形態に限定されず、その要旨の範囲内で種々の変形および変更が可能である。
【符号の説明】
【００１８】
２：  分光器
１１：  干渉計
１２：  １／４λ板
１３ａ，１３ｂ：  パワーメーター
７：  コントローラ
【図１】
2015079808.tif 000003
【図２】
2015079808.tif 000004
(57)【要約】【課題】この発明は、吸入、排気バルブにおいて、斜めの上下運動で重力の影響を受けないエンジンで馬力と燃費の向上をはかることを提供する。【解決手段】エンジンにおいて、吸入ポート（３）とシリンダー（４）の間、または排気ポート（５）とシリンダー（４）の間に、軸受け（２）を設け、軸（１０）と軸に穴をあけたポート（１）を取り付けた、またはその両方に軸受け（２）を設け、軸（１０）と軸に穴をあけたポート（１）を取り付け。【選択図】図１
2015132258.tif 000002
【特許請求の範囲】
【請求項１】
エンジンにおいて、吸入ポート（３）とシリンダー（４）の間、または排気ポート（５）とシリンダー（４）の間に、軸受け（２）を設け、軸（１０）と軸に穴をあけたポート（１）を取り付けた、またはその両方に軸受け（２）を設け、軸（１０）と軸に穴をあけたポート（１）を取り付けたことを特徴とする４サイクルエンジンのロータリーバルブ。
【発明の詳細な説明】
【技術分野】
【０００１】この発明は、吸入、排気のバルブにおいて、斜めの上下運動で重力の影響を受けないエンジンで馬力と燃費の向上をはかることに関するものである。
【背景技術】
【０００２】  従来、エンジンにおいて、吸入、排気のバルブは斜めの上下運動で重力の影響を受けてエネルギーのロスをしていた。
また、バルブについているスプリングをシャフトまたは、ロッカーアームを介して押し込んでいたので、やはりエネルギーのロスにつながって馬力と燃費の損失を招いていた。
またスプリングは高回転エンジンでは、強力なものを使っていたので余計にロスが発生した。
また、弱力のスプリングでは、レスポンスが悪かった。
そのほか高回転エンジンの必要な分野では、ロスがあると分かっていても、強力なスプリングを採用していた。
【発明の開示】
【発明が解決しようとする課題】
【０００３】  エンジンにおける吸入バルブ、排気バルブの斜めの上下運動を改善して重力の影響を受けずエネルギーのロスをなくすこと。
バルブについているスプリングを取りさってスプリングを押す力を必要としないこと。
高回転エンジンにおけるスプリングのサージングを失くすこと。
【課題を解決するための手段】
【０００４】  本発明は上記課題を解決する為のもので、
エンジンにおいて、吸入ポート（３）とシリンダー（４）の間、または排気ポート（５）とシリンダー（４）の間に、軸受け（２）を設け、軸（１０）と軸に穴をあけたポート（１）を取り付けた、またはその両方に軸受け（２）を設け、軸（１０）と軸に穴をあけたポート（１）を取り付けた。
【発明の効果】
【０００５】    本発明により、エンジンにおける吸入バルブ、または排気バルブの斜めについている場合の上下運動が無くなり重力の影響を受けずエネルギーのロスがなくなった。
またバルブについているスプリングを取りさったのでスプリングを押す力が必要なく、エネルギーのロスがなくなった。
以上のことでロスを減らして馬力と燃費の向上を約７％図れた。
また高回転エンジンにおけるスプリングのサージングを失くすことができて約３万回転くらいまで回転するので高出力をえられた。
吸入、排気の場合において、従来のバルブのように、進角に影響されず、吸入、排気の両方が邪魔されなくなったので、圧縮比が上がった。
また、エンジンノイズが低くなって騒音対策ができた。
【発明を実施するための最良の形態】
【０００６】  構造を図１に示すように、
エンジンにおいて、吸入ポート（３）とシリンダー（４）の間、または排気ポート（５）とシリンダー（４）の間に、軸受け（２）を設け、軸（１０）と軸に穴をあけたポート（１）を取り付けた、またはその両方に軸受け（２）を設け、軸（１０）と軸に穴をあけたポート（１）を取り付けた。
【実施例１】
【０００７】  ４サイクルエンジンの動きによってシリンダーの上げ下げで吸入、圧縮、爆発、排気が出来るように、行程に応じてバルブの開閉を行った。
それはチエン、またはベルトにて、軸（１０）を回転させて行った。
そして軸に穴をあけたポート（１）からシリンダー（４）に混合気を吸入し、軸（１０）を回転させてシリンダー内を閉鎖し圧縮、爆発を行う。
そして爆発後に排気側の軸（１０）を回転させて軸に穴をあけたポート（１）が開く。
すると排気側の軸に穴をあけたポート（１）からシリンダー内の排ガスを排気する。
これは従来のバルブタイミングに近い状態で行えば良い。
またチエン、またはベルトの他にシャフト駆動でもよい。
その他、エンジンオイルにおいて、燃焼温度が７００度のものを使用したら、オイルによる燃焼が無かった。
そして自動車用のエンジンの他に汎用エンジンに対応できた。
さらに並列の多機筒エンジンや直列の多機筒エンジン、または傾斜を伴った多機筒エンジン、その他Ｖ型エンジン、そして水平対向の多機筒エンジンなどがあるが、いずれも対応できた。【０００８】  図２に示すように、下支点部分の排気孔（６）と新設の排気ポート（７）を設けて、本発明の排気ポート（５）と接続した。
このようにすると、本発明の排気ポート（５）の排気が負圧により引かれ、吸入が良くなり圧縮比が上がった。
そこでスクエア以下の圧縮比０．５でテストすると約圧縮比１．０となって高圧縮となった。【０００９】  図２に示すように、クランクシャフトに楕円ギア（８）と付随するギア（９）を取り付けた。
このようにすると、稀薄混合気の場合の状態で定地走行において、出力が取り出し易くなったため、結果として燃費が良くなった。
他に、ディーゼルエンジンに楕円ギアを用いると、点火時期が一定であるので高機能となる。【００１０】  本発明により、エンジンにおける吸入バルブ、または排気バルブの斜めについている場合の上下運動が無くなり重力の影響を受けずエネルギーのロスがなくなった。
またバルブについているスプリングを取りさったのでスプリングを押す力が必要なくエネルギーのロスがなくなった。
以上のことでロスを減らして馬力と燃費の向上を約７％図れた。
また高回転エンジンにおけるスプリングのサージングを失くすことができて約３万回転まで回転するので高出力をえられた。
そこで大幅な馬力アップと、燃料の消費削減ができた。
さらに吸入がしやすいので、スクエア以下でも高圧縮が可能となってコンロットとクランクシャフトの及ぼす重力の抵抗を受けにくく、特に燃費の改善が出来た。
また、本発明をオートバイに使用すると、エンジン音が心地良くなった。
ほかには、高回転エンジンは航空機エンジンに向いている。
【図面の簡単な説明】
【００１１】
【図１】  本発明の正面図および部分拡大斜視図
【図２】  本発明の実施例の正面図
【符号の説明】
【００１２】  １ポート、２軸受け、３吸入ポート、４シリンダー、５排気ポート、６下支点部分の排気孔、７新設の排気ポート、８楕円ギア、９付随するギア、１０軸
【図１】
2015132258.tif 000003
【図２】
2015132258.tif 000004
(57)【要約】【課題】転動軸と転動軸により支持される回転体との間における通油性を確保することができる転動軸を提供する。【解決手段】転動軸１０は、回転体２０を回転可能に支持し、その転動軸１０の外周面１１に、転動軸１０の一端側から他端側に向けて螺旋状の通油溝１２が形成される。【選択図】図１
2015132276.tif 000002
【特許請求の範囲】
【請求項１】
回転体を回転可能に支持する転動軸であって、
前記転動軸の外周面に、前記転動軸の一端側から他端側に向けて螺旋状の通油溝が形成されることを特徴とする転動軸。
【請求項２】
前記通油溝が複数形成されることを特徴とする請求項１に記載の転動軸。
【発明の詳細な説明】
【技術分野】
【０００１】
本発明は、転動軸に関し、より詳細には、エンジンのタペットローラ（ローラフォロア）を支持する転動軸や遊星歯車を支持する転動軸（ピニオンシャフト）に関する。
【背景技術】
【０００２】
従来の転動軸としては、タペットローラ軸受構造に使用されるものが知られており、このタペットローラ軸受構造は、転動軸（支持軸）と、転動軸の外周面に嵌合する円筒形状の内径側ローラと、内径側ローラの外周面に嵌合する円筒形状の外径側ローラと、を備えている（例えば、特許文献１参照）。
【先行技術文献】
【特許文献】
【０００３】
【特許文献１】特開２００９−０３０４６７号公報
【発明の概要】
【発明が解決しようとする課題】
【０００４】
しかしながら、上記特許文献１に記載の転動軸では、転動軸と内径側ローラとの間における通油性が悪く、通油性の確保が望まれていた。
【０００５】
本発明は、前述の事情に鑑みてなされたものであり、その目的は、転動軸と転動軸により支持される回転体との間における通油性を確保することができる転動軸を提供することにある。
【課題を解決するための手段】
【０００６】
本発明の上記目的は、下記の構成により達成される。
（１）回転体を回転可能に支持する転動軸であって、転動軸の外周面に、転動軸の一端側から他端側に向けて螺旋状の通油溝が形成されることを特徴とする転動軸。
（２）通油溝が複数形成されることを特徴とする（１）に記載の転動軸。
【発明の効果】
【０００７】
本発明の転動軸によれば、転動軸の外周面に、転動軸の一端側から他端側に向けて螺旋状の通油溝が形成されるため、転動軸と転動軸により支持される回転体との間における通油性を確保することができる。
【図面の簡単な説明】
【０００８】
【図１】本発明に係る転動軸の一実施形態が採用されたタペットローラ軸受を説明する要部断面図である。
【図２】図１に示す転動軸の斜視図である。
【図３】図１に示す転動軸の外周面の展開図である。
【図４】本発明に係る転動軸の一実施形態が採用されたタペットローラ軸受の変形例を説明する要部断面図である。
【図５】本発明に係る転動軸の一実施形態の変形例が採用されたタペットローラ軸受を説明する要部断面図である。
【図６】図５に示す転動軸の斜視図である。
【発明を実施するための形態】
【０００９】
以下、本発明に係る転動軸の一実施形態について、図面に基づいて詳細に説明する。
【００１０】
本実施形態が採用されたタペットローラ軸受は、図１に示すように、ロッカーアーム３０に両端が支持される転動軸１０と、転動軸１０の外周面１１に嵌合されるタペットローラ（転動軸により支持される回転体）２０と、を備える。なお、図１中の符号３１はカム軸、３２はカムである。
【００１１】
そして、本実施形態では、図２及び図３に示すように、転動軸１０の外周面１１に、転動軸１０の一端側から他端側に向けて螺旋状の通油溝１２が形成されている。
【００１２】
通油溝１２は、転動軸１０の一端から他端までの間において、転動軸１０の外周面１１を１周する螺旋形状で形成されている。また、通油溝１２の形成位置は、通油溝１２の傾斜角度θ（図３参照）により調整することが可能である。また、転動軸１０とタペットローラ２０の接触面圧が過大になるのを防止するため、通油溝１２の溝幅Ｗは、例えば、０．１ｍｍ〜５ｍｍに設定されている。しかし、この溝幅Ｗは、転動軸１０の直径、長さ、負荷荷重、温度等の環境条件、加工ツール、加工時間、コスト等の製造条件等に応じて適宜設定すればよく、特に限定はない。
【００１３】
なお、通油溝１２は、転動軸１０の一端から他端までの間において、転動軸１０の外周面１１を１周以上する螺旋形状で形成されていてもよい。また、通油溝１２は、転動軸１０とタペットローラ２０の接触面圧が最大となる箇所に形成されていない方が好ましい。また、通油溝１２の両端縁に面取りが形成されていてもよい。
【００１４】
以上説明したように、本実施形態の転動軸１０によれば、転動軸１０の外周面１１に、転動軸１０の一端側から他端側に向けて螺旋状の通油溝１２が形成されるため、この通油溝１２に潤滑油が流れて、転動軸１０とタペットローラ２０との間における通油性を確保することができる。
【００１５】
また、本実施形態のタペットローラ軸受の変形例として、図４に示すように、転動軸１０とタペットローラ２０との間に複数のニードルローラ４０を転動可能に配置してもよい。この場合、ニードルローラ４０は、図３に示すように、転動軸１０の外周面１１上を転がることとなる。
【００１６】
また、本実施形態の転動軸１０の変形例として、図５及び図６に示すように、転動軸１０の外周面１１に、２本の螺旋状の通油溝１２が平行に形成されていてもよい。本変形例によれば、転動軸１０とタペットローラ２０との間における通油性を更に確保することができる。
【００１７】
なお、本発明は、上記実施形態に例示したものに限定されるものではなく、本発明の要旨を逸脱しない範囲において適宜変更可能である。
例えば、本実施形態では、通油溝は、転動軸の外周面に１本又は２本形成されているが、これに限定されず、転動軸の外周面に３本以上形成されていてもよい。
また、本実施形態では、本発明をタペットローラを支持する転動軸に適用する場合を例示したが、これに限定されず、遊星歯車を支持する転動軸に本発明を適用してもよい。
【符号の説明】
【００１８】
１０    転動軸
１１    外周面
１２    通油溝
２０    タペットローラ（回転体）
３０    ロッカーアーム
４０    ニードルローラ
θ    通油溝の傾斜角度
Ｗ    通油溝の溝幅
【図１】
2015132276.tif 000003
【図２】
2015132276.tif 000004
【図３】
2015132276.tif 000005
【図４】
2015132276.tif 000006
【図５】
2015132276.tif 000007
【図６】
2015132276.tif 000008
(57)【要約】【課題】  本考案では大〜小の複数の計量カップを備える事のできるコンパクトかつ、衛生面にも優れた計量カップを提供する。【解決手段】  蓋１に大〜小の複数個分の計量カップ２ａ〜２ｃ用の着脱部３をそれぞれに設け、大〜小の複数個分の計量カップ２ａ〜２ｃを、蓋１の着脱部３へそれぞれに装着する。【選択図】図１
2015132590.tif 000002
【特許請求の範囲】
【請求項１】
蓋に大〜小の複数個分の計量カップ用の着脱部をそれぞれに設け、大〜小の複数個分の計量カップを蓋の着脱部にそれぞれに着脱できる事を特徴とする計量カップ
【発明の詳細な説明】
【技術分野】
【０００１】  本発明品は計量カップに関する。
【背景技術】
【０００２】  従来の計量カップは図３のように透明な容器と測定用の目盛りで構成される。【０００３】  しかしながら従来の計量カップでは大〜小の複数の計量カップが必要な場合、重ねて収納するため、かさばる。【０００４】  また、大〜小の複数の計量カップを重ねて収納した場合、容器の底と容器の内がお互いに触れる為、衛生面でも不安が残る。
【発明の開示】
【発明が解決しようとする課題】
【０００５】  本考案では大〜小の複数の計量カップを備える事のできるコンパクトかつ、衛生面にも優れた計量カップを提供する。
【課題を解決する為の手段】
【０００６】  蓋１に大〜小の複数個分の計量カップ２ａ〜２ｃ用の着脱部３をそれぞれに設け、大〜小の複数個分の計量カップ２ａ〜２ｃを、蓋１の着脱部３へそれぞれに装着する。
【発明の効果】
【０００７】  蓋１に大〜小の複数個分の計量カップ２ａ〜２ｃ用の着脱部３をそれぞれに設けることにより以下の効果がある。
【０００８】  図２によればコンパクトに収納する事ができる。
【０００９】  図２によれば計量カップ２ａ〜２ｃ同士がお互いに触れないため、衛生面でも安全である。
【発明を実地する為の最良の形態】
【実地例】
【００１０】  図１は本発明品の計量カップを表した全体図である。図１によれば蓋１の着脱部３に、それぞれの計量カップ２ｃ〜２ａを小さい順番に装着する事により、図２の全体図のようにコンパクトに収納する事ができる
【図面の簡単な説明】
【００１１】
【図１】  本発明品の計量カップを示した全体図である。
【図２】  本発明品の計量カップを収納した状態を示した全体図である。
【図３】  従来の計量カップを示した斜視図である。
【符号の説明】
【００１２】  １  蓋
２  計量カップ
３  着脱部
【図１】
2015132590.tif 000003
【図２】
2015132590.tif 000004
【図３】
2015132590.tif 000005
(57)【要約】【課題】二速ピストンが二速ピストン穴の押し付けられない構造とすることにより、低速／高速の切換え不良が発生し難く、及び二速ピストンの円筒面や二速ピストン穴の円筒面の摩耗が発生し難いものとする。【解決手段】油圧モータ１０の低速状態と高速状態を切換える円筒形状の二速ピストン１６は、油圧モータ１０のケーシング１３の二速ピストン穴部１７に嵌合され、油圧モータ１０が二速状態の時に二速ピストン１６の左側端面に圧油が作用し、二速ピストン１６逆側端面にボール１８が接触し、前記ボール１８は斜板１９にボール１８の約半球が収まるように配置されている。ボール１８は斜板１９に回転自在に圧入されている。【選択図】図３
2015132188.tif 000002
【特許請求の範囲】
【請求項１】
油圧モータ部と、
前記油圧モータ部のケーシングにベアリグを介して回転自在に支持され該油圧モータ部のシャフトに結合した減速機部と、
を備えた二速油圧モータにおいて、
前記ケーシングに設けた二速ピストン穴部と、
前記二速ピストン穴部に嵌挿した摺動自在の二速ピストンと、
前記二速ピストンの先端に係合に斜板の位置に半球が回転自在に圧入されたボールと、
を備え、前記二速ピストンの先端面に前記ボールが接触することを特徴とする二速油圧モータ。
【発明の詳細な説明】
【技術分野】
【０００１】
本発明は建設機械用のクローラーを駆動するための油圧モータに関し、さらに詳細には油圧モータの容量を変更することで低速と高速の切換を行う二速油圧モータの構造に関する。
【背景技術】
【０００２】
従来、この種の油圧モータにおいて、タの低速から高速への切換えは、内側中グリ部にボールが配置されている二速ピストンの端面に圧油を導き、斜板を傾転させ、油圧モータの容量を小さくすることで高速へ切換える構造となっている。この構造の場合、高速時に斜板が傾転しているため、斜板からボールに作用する力は、二速ピストンの飛び出し方向に対し、斜板が傾転した分だけ傾いた方向に作用する。この時、ボールは、ボールに作用した力が二速ピストンの飛び出し方向に対し傾いているために、二速ピストンの飛び出し方向に対し傾いた方向に、二速ピストンの内側中グリ部（二速ピストンのボール穴の球面）に押し付けられる。二速ピストンは、シリンダ飛び出し方向に対し傾いた方向に二速ピストンの内側中グリ部にボールが押し付けられることで、油圧モータのケースの二速ピストン穴に押し付けられる。
以上の構造により、二速ピストンは、二速油圧モータの低速から高速への切換え時に、二速ピストン円筒面に押し付けられながら飛び出す（例えば、特許文献１参照。）。
【先行技術文献】
【特許文献】
【０００３】
【特許文献１】特開平９−２４０５２５号公報
【発明の概要】
【発明が解決しようとする課題】
【０００４】
しかしながら、特許文献１に示す油圧モータは、該油圧モータを低速から高速に切換えを繰り返すことで、二速ピストンが二速ピストン穴に押し付けられながら飛び出すことを繰り返し、二速ピストンと二速ピストン穴との摺動部の動きが悪くなることで低速／高速の切換え不良が発生し、二速ピストンの円筒面や二速ピストン穴の円筒面が摩耗する可能性がある。
本発明は係る課題を解決するためになされたもので、二速ピストンが二速ピストン穴の押し付けられない構造とすることにより、低速／高速の切換え不良が発生し難く、及び二速ピストンの円筒面や二速ピストン穴の円筒面の摩耗が発生し難いものとする二速油圧モータを提供することを目的とする。
【課題を解決するための手段】
【０００５】
本発明は、
油圧モータ部と、
前記油圧モータ部のケーシングにベアリグを介して回転自在に支持され該油圧モータ部のシャフトに結合した減速機部と、
を備えた二速油圧モータにおいて、
前記ケーシングに設けた二速ピストン穴部と、
前記二速ピストン穴部に嵌挿した摺動自在の二速ピストンと、
前記二速ピストンの先端に係合に斜板の位置に半球が回転自在に圧入されたボールと、
を備え、前記二速ピストンの先端面に前記ボールが接触することを特徴とする。
【発明の効果】
【０００６】
本発明は、二速ピストンと二速ピストン穴の押し付けられない構造となり、低速／高速の切換え不良が発生し難く、及び二速ピストンの円筒面や二速ピストン穴の円筒面の摩耗が発生し難いものなる。
【図面の簡単な説明】
【０００７】
【図１】本発明の実施の形態に係る二速油圧モータの低速状態の示す断面図である。
【図２】二速油圧モータの高速状態の示す断面図である。
【図３】二速ピストン部の拡大図である。
【発明を実施するための形態】
【０００８】
以下、本発明の実施の形態に係る二速油圧モータにつき好適な実施の形態を挙げ、添付図面を参照して詳細に説明する。
図１の二速油圧モータ１０（油圧モータ１０という）は、固定されている斜板式アキシャルピストン型油圧モータ部１１（以下、油圧モータ部１１という）と、該油圧モータ部１１と回転自在に結合した減速機部１２と、で構成されている。減速機部１２は、油圧モータ部１１のケーシング１３の外周面１４に固着されたベアリング１５により回転自在に支持され、軸方向に移動しないように取り付けられている。
ここで、図１に示す油圧モータ１０は周知の構造なので、詳細の説明については省略する。
【０００９】
油圧モータ１０の低速状態と高速状態を切換える円筒形状の二速ピストン１６は、前記油圧モータ１０のケーシング１３の二速ピストン穴部１７に嵌合され、油圧モータ１０が二速（低速及び高速）状態の時に二速ピストン１６の片側端面（図２では左側端面）に圧油が作用し、前記二速ピストン１６逆側端面（図２では右側端面）にボール１８が接触し、前記ボール１８は斜板１９にボール１８の約半球が収まるように配置されている。ボール１８は斜板１９に回転自在に圧入されている。
かかる構造により、二速ピストン１６は、該二速ピストン１６とボール１８とが点接触になり、ボール１８は二速ピストン１６の端面に垂直に押し付けられるため、ケーシング１３の二速ピストン穴部１７の円筒面に押し付けられない。
【符号の説明】
【００１０】
１０  油圧モータ                      １１  油圧モータ部
１２  減速機部                        １３  ケーシング
１４  外周面                          １５  ベアリング
１６  二速ピストン                    １７  二速ピストン穴部
１８  ボール                          １９  斜板
【図１】
2015132188.tif 000003
【図２】
2015132188.tif 000004
【図３】
2015132188.tif 000005
(57)【要約】      （修正有）【課題】視力の悪い人がまつ毛エクステンションやつけまつ毛をする時に装着できる度数付きメガネを提供する。【解決手段】メガネにおけるパッド２またはパッド足を、もしくはパッド２及びパッド足双方を一体として、弾力性のある樹脂材等の素材を用い、左右の間隔を狭めて形成し、メガネをかけた場合において、顔の方へ約２ｃｍ前後長く出し、鼻の梁に接地した時にまつ毛エクステンションやつけまつ毛の先端が、レンズ及びフレームに触れない状態の距離を保つように形成した。【選択図】図３
2015132793.tif 000002
【特許請求の範囲】
【請求項１】
通常のメガネにおけるパッドまたはパッド足を、もしくはパッド及びパッド足双方一体として、メガネをかけた場合において、顔の方へ、約２ｃｍ前後長く出し、鼻の梁に接地した時にエクステやつけまつ毛の先端が、レンズ及びフレームに触れない状態の距離を保つように形成したことを特徴とするエクステ及びつけまつ毛専用メガネ。
【請求項２】
パッド又はパッド足、あるいはパッドとパッド足を一体として、弾力性のある樹脂材等の素材を用い、左右の間隔を狭めて形成し。使用者の好みに応じて、鼻の梁に深く又は浅く調整して装着出来ることを特徴とする請求項１におけるエクステ及びつけまつ毛専用メガネ。
【発明の詳細な説明】
【技術分野】
【０００１】  この発明は、エクステ（人工つけまつ毛）やつけまつ毛を瞼にしている人がかけるエクステ・つけまつ毛専用メガネに関するものである。外国人（鼻の高い欧米人）の人にもかけられる。注：エクステとはまつ毛エクステンションの略称
【背景技術】
【０００２】    従来、普通のメガネでは、エクステやつけまつ毛をしている人が使用するとエクステやつけまつ毛の先端がメガネのレンズに当たってしまい、適応せず、普通のメガネを鼻にずり下げて使うなどしていた。
【先行技術文献】
【特許文献】
【０００３】
【特許文献１】
【発明の概要】
【発明が解決しようとする課題】
【０００４】    これは、次のような欠点があった。（イ）視力の悪い人がエクステ・つけまつ毛をする時にかける度数付きメガネが今までなかった。（ロ）エクステ・つけまつ毛専用のメガネがないので、エクステやつけまつ毛先端がメガネのレンズに当たるため、メガネをずり下げて使っていた。（ハ）エクステ・つけまつ毛専用のメガネがないので、メガネを鼻にずり下げて、上目使いにメガネを使用しているため、視力の低下を招く恐れあり。（二）エクステ・つけまつ毛専用のメガネがないので、エクステやつけまつ毛をした時に裸眼で生活していた。大変、不便である。（ホ）エクステ・つけまつ毛専用のメガネがないので、メガネを鼻にずり下げて使って生活するのは、大変、見えにくく危険である。
【課題を解決するための手段】
【０００５】    通常のメガネにおけるパッドまたはパッド足を、もしくはパッド及びパッド足双方一体として、メガネをかけた場合において、顔の方へ、約２ｃｍ前後長く出し、鼻の梁に接地した時にエクステやつけまつ毛の先端が、レンズ及びフレームに触れない状態の距離を保つように形成する。尚、パッドもしくはパッド足、あるいは両者一体として、弾力性のある素材で、左右間隔を狭めて形成しておけば、鼻の梁に深く又は浅く装着できるので、使用者は各かくの好みに応じて、目とメガネの距離を自由に調整できて便利である。
以上を特徴とするエクステ及びつけまつ毛専用メガネである。
【発明の効果】
【０００６】（イ）視力の悪い人がエクステやつけまつ毛をする時にかける度数付きメガネが生産出来る。（ロ）エクステ・つけまつ毛専用の度数付きメガネがあれば、エクステやつけまつ毛先端にレンズが触れることがないので、メガネをずり下げて使う必要はない。（ハ）エクステ・つけまつ毛専用の度数付きメガネがあれば、上目使いにメガネを使用することがなくなり、正常の目の高さの位置で使用できるため、視力の低下を招かない。（二）エクステ・つけまつ毛専用の度数付きメガネがあれば、エクステやつけまつ毛をした時にも裸眼で生活する必要がない。
【図面の簡単な説明】
【０００７】
【図１】本発明の平面図
【図２】通常の度数付きメガネの使用例を示す側面図
【図３】本発明の使用例を示す側面図
【発明を実施するための形態】
【０００８】      以下、本発明の実施の形態について説明する。
通常のメガネにおけるパッドまたはパッド足を、もしくはパッド及びパッド足双方一体として、メガネをかけた場合において、顔の方へ、約２ｃｍ前後長く出し、鼻の梁に接地した時にエクステやつけまつ毛の先端が、レンズ及びフレームに触れない状態の距離を保つように形成する。
本発明は、以上のような構成であり。これを実際に使用する時は、メガネフレームをしっかりと手に取り、耳にかけながら、パッドをしっかりと鼻梁に乗せ固定して使う。
視力の悪い人が、エクステやつけまつ毛をする時にかける度数付きメガネが商品化されれば、エクステやつけまつ毛先端にレンズが触れることがないので、メガネをずり下げる必要がない。また、上目使いにメガネを使用することがなくなり、正常の目の高さの位置で使用できるため、視力の低下を招かない。また、エクステやつけまつ毛をした時に視力の弱い裸眼で生活する不自由さもなくなる。
尚、パッドもしくはパッド足、あるいは両者一体として、弾力性のある素材で、左右間隔を狭めて形成しておけば、鼻の梁に深く又は浅く装着できるので、使用者は各かくの好みに応じて、目とメガネの距離を自由に調整できて便利である。
以上を特徴とするエクステ・及びつけまつ毛専用メガネである。
【符号の説明】
【０００９】    １  パッド足
２  パッド
【図１】
2015132793.tif 000003
【図２】
2015132793.tif 000004
【図３】
2015132793.tif 000005
(57)【要約】【課題】従来の寝装用のズボンでは、室温が低い寝室などで、寝ている間に足先や足首が掛け布団から出てしまうことがあり、足先や足首が冷えてしまうことがあった。本発明は、寝装用のズボンの裾を足の長さより長くし面ファスナーで密着し袋状にして保温性をもたせて足先や足首の冷えを防ぎ歩行など行動時には、裾の面ファスナーと中間の面スァスナーを利用して歩行などの行動時に適当なズボンの長さに調整可能な丈長さ調整式保温ズボンを提供する。【解決手段】ズボンの裾の内側と外側の両面とズボンの外側部分の適した部分に面ファスナーを取り付ける。以上の構成よりなる丈長さ調整式保温ズボン。【選択図】図１
2015132035.tif 000002
【特許請求の範囲】
【請求項１】
ズボンの裾の内側と外側の両面とズボンの外側部分に面ファスナーを取り付けた丈長さ調整式保温ズボン。
【発明の詳細な説明】
【技術分野】
【０００１】本発明は、寝装用のズボンに関するものである。
【技術背景】
【０００２】従来の寝装用の足首までの丈のズボンでは、室温が低い寝室などで、寝ている間に足先や足首が掛け布団から飛び出て足先や足首が冷えてしまうことがあった。靴下などを履いて寝る工夫も知られている。
【発明の概要】
【発明が解決しようとする課題】
【０００３】従来の寝装用の足首までの丈のズボンでは、室温が低い寝室などで、寝ている間に足先や足首が掛け布団から飛び出て足先や足首が冷えてしまうことあった。靴下などを、履く方法もあるが、足がむれることもあり、足首から上の部分が冷えることを、防ぐのが不可能だった。
【課題を解決するための手段】
【０００４】ズボンの裾の内側と外側の両面とズボンの外側部分の適した部分に面ファスナーを取り付ける。
以上の構成よりなる丈長さ調整式保温ズボン
【発明の効果】
【０００５】従来のように、寝ている間に掛け布団から足先が飛び出てしまっても足先や足首が、極端に冷えることを防ぐことが可能となる。
【図面の簡単な説明】
【０００６】
【図１】本発明の斜視図
【図２】本発明を寝る時に用いた使用状態図
【図３】本発明を歩行する時に用いた使用状態図
【発明を実施するための形態】
【０００７】以下、本発明の実施の形態を説明する。
（イ）ズボン（３）の左右の裾の両端に面ファスナー（１）を設ける。
（ロ）ズボン（３）の丈の中間部分に面ファスナー（２）を設ける。
本発明は以上のような構造である。
本発明を使用するときは、寝るときは、にズボンの裾の内側面ファスナー（１）どうしを、密着させて裾から足が出ないように、袋状にして使用しズボン内の保温性を高める。寝るとき以外に歩行などの行動をするときには、ズボン裾表面側の面ファスナー（１）と中間の面ファスナー（２）を利用しズボンの丈長さを足首が出るの長さに、調整して歩行などの行動をする。
図２の使用状態の説明、ズボンの裾の内側面ファスナー（１）どうしを、密着させて裾から足が出ないように、袋状にして使用しズボン内の保温性を高める。図３の使用用状態の説明、寝るとき以外に歩行などの行動をするときには、ズボン裾表面側の面ファスナー（１）と中間の面ファスナー（２）を利用しズボンの丈長さを足首が出るの長さに、調整して歩行などの行動をする。
【符号の説明】
【０００８】１  裾両端面ファスナー、２  中間部分面ファスナー、３  ズボン
【図１】
2015132035.tif 000003
【図２】
2015132035.tif 000004
【図３】
2015132035.tif 000005
(57)【要約】【課題】台上におかれた薄型テレビは簡易な方法での固定が難しく、かつ固定してしまうと背面でのケーブル接続等の利便性が失われる為、転倒防止が難しかった。【解決手段】本発明は台と壁の隙間に落とした棒状の板が隙間で引っかかり、斜めになることにより引き上げる力が隙間を広げる力になり、棒状の板が固定され引き抜けなくなる事を利用し転倒防止をはかるものである。効果として薄型テレビの転倒防止を簡易な方法で行うと同時に、非固定の為台上での移動や背面のケーブル接続が容易に行える。【選択図】図５
2015132669.tif 000002
【特許請求の範囲】
【請求項１】
台と壁の隙間に落とした棒状の板で、上方に引っ張る力を、隙間を広げる力に変換することを利用した薄型テレビ等の転倒防止装置。
【請求項２】
台と壁の隙間に落とした棒状の板が、隙間で台の出っ張りに引っかかり上方に引き上げられなくなることを利用した薄型テレビ等の転倒防止装置。
【請求項３】
棒状の板が梃子として作用し、隙間を広げる力が上方に引っ張る力に比べ小さくなるように帯紐の接続部（支点）を棒状の板の中心からずらした薄型テレビ等の転倒防止装置。
【発明の詳細な説明】
【技術分野】
【０００１】
本発明は、薄型テレビ等の転倒防止に関するものである。
【背景技術】
【０００２】
薄型テレビは見る人の視線がほぼ水平になるように、台上に設置されるが、
表示部（画面）が大きく、地震などにたいして不安定であり、転倒し破損する可能性が高く、転倒防止が必要である。
【０００３】
転倒防止に必要な台への固定、壁への固定が難しく実施されていない。
・テレビ台は高級家具の為表面にビス止めすることは難しい。
・壁も同様であり、借家においては特にビス穴を開ける事は難しい。
・薄型テレビは視聴状況により台上の位置が変更される場合が多い。
・薄型テレビに各種ケーブルを接続する際、テレビを若干移動ないしは回転する必要が生じる、台や壁への固定は利便性を損なう。
【発明の概要】
【発明が解決しようとする課題】
【０００４】
台や壁への固定を行わないで、薄型テレビ等の転倒防止を図ること
【課題を解決するための手段】
【０００５】
本発明は、台と壁の隙間に落とした棒状の板が（薄型テレビとは帯紐で繋がっている）、地震により薄型テレビが反壁側に移動又は転倒開始によるテレビの傾きにより上方に引っ張られる際に、色々な要因により台と壁の間に引っかかり固定される事により転倒を防止するものである。
【０００６】
台と壁の隙間に落とした棒状の板を上方に引き上げる際に、棒状の板上部が隙間で引っかかり、斜めになることにより引き上げる力が隙間を広げる力になり、棒状の板が引き抜けなくなる。参照  図５
【０００７】
台と壁の隙間に落とした棒状の板を上方に引き上げる際に、台の出っ張りに棒状の板が引っかかり上方に引き上げられなくなる。参照  図６
【０００８】
台と壁の隙間に落とした棒状の板上部が台側に傾くような重心位置に、上方に引き上げる帯紐を板に接続する。参照  図１、図３
ばねを利用し棒状の板上部を台に押し付ける場合もある。参照  図２
【０００９】
薄型テレビ本体と棒状の板との接続は棒状板の向きが固定されるように帯状の紐（帯紐）を使用する。
複数の紐で棒状の板と接続する場合は帯紐に限らない。参照  図４
【００１０】
棒状の板の上下端は台、壁を傷つけないように、又摩擦や引っ掛かりが増すように、摩擦を増す物をつける場合もある。
【００１１】
棒状の板の形状は一般的には棒状の板（縦＞横）であるが板状（縦＜横）の場合もある。この場合薄型テレビ本体と棒状の板との接続は複数の紐で接続される場合もある。参照  図４
【００１２】
上方への引き上げ難さを増す為、棒状の板の重量を重くする場合もある。
【００１３】
棒状の板が梃子として作用し、隙間を広げる力が上方に引っ張る力に比べ小さくなるように帯紐の接続部（支点）を棒状の板の中心からずらす。
【００１４】
棒状の板のサイズは隙間の大きさ、台の高さによるため様々である。引き上げ力が大きい場合は、棒状板を長くする事もある（梃子の原理）。
【００１５】
帯紐の長さはテレビ台の形状、隙間までの距離等により調整する。
【００１６】
テレビ台の出っ張りがない場合はアタッチメントにより出っ張りを付ける場合もある。参照  図７
【発明の効果】
【００１７】
隙間に棒状の板を落とし込むという簡易な方法で薄型テレビ等の転倒防止がはかれるので、一般家庭で適応でき転倒による薄型テレビ等の損傷を防ぎ、また人身への災害を防止出来る。  
【図面の簡単な説明】
【００１８】
【図１】側面図  台と壁の間におかれた棒状の板を示す。
【図２】側面図  台と壁の間におかれた棒状の板がばねでV字に開脚した状態を示す。
【図３】背面図  台と壁の間におかれた棒状の板を示す。
【図４】背面図  棒状の板の幅が広い場合を示す。板は状況により複数の紐で接続される。
【図５】作動状態図  棒状の板の作動状態を示し、（引き上げる力が隙間を広げる力に変換）上に引き上げられない固定された状態を示す。
【図６】作動状態図  棒状の板の作動状態を示し、（台の出っ張りへの引っかかり）上に引き上げられない固定された状態を示す。
【図７】側面図  台にアタッチメントを付けた状態を示す。
【産業上の利用可能性】
【００１９】
隙間に棒状の板を落とし込むという簡易な方法で薄型テレビ等の転倒防止がはかれるので、一般家庭で適応でき転倒による薄型テレビ等の損傷を防ぎ、また人身への災害を防止出来る。  
【図１】
2015132669.tif 000003
【図２】
2015132669.tif 000004
【図３】
2015132669.tif 000005
【図４】
2015132669.tif 000006
【図５】
2015132669.tif 000007
【図６】
2015132669.tif 000008
【図７】
2015132669.tif 000009
(57)【要約】      （修正有）【課題】電車時刻などの複数のイベントの時刻または順番などを直観的に認識できる表示方法の提供。【解決手段】列車の出発時刻などの複数のイベント時刻や順番などを直感的に認識できるように、アナログ時計の文字板にデジタルまたはアナログの表示デバイスを配置して表示することにより、一度に複数のイベントの時間を表示する。【選択図】図１
2015200624.tif 000002
【特許請求の範囲】
【請求項１】
点灯などをする表示デバイスを配置することにより、一度に複数のイベントの時間または順番などを表示することを特徴とするアナログ表示機。
【請求項２】
請求項１のアナログ表示機においてアナログ時計を使用することを特徴とするアナログ表示機。
【請求項３】
請求項１、２のアナログ表示機において表示デバイスが、ひとつの時刻または順番などに複数存在することを特徴とするアナログ表示機。
【請求項４】
請求項１，２，３のアナログ表示機において内部または外部に別途デジタルまたはアナログのイベント表示機を有することを特徴とするアナログ表示機。
【請求項５】
請求項１，２，３、４のアナログ表示機と同等の機能を有するソフトウェアまたは電子デバイス。
【発明の詳細な説明】
【技術分野】
【０００１】  本発明は、表示装置に関する。
【背景技術】
【０００２】  列車の時刻を表示する場合などイベントを表示する場合、近年ではデジタルで表示することが電車など交通の駅では一般に行われている。これにより乗客は次またはその次などの電車時刻を事前に認識できる。
【発明の開示】
【発明が解決しようとする課題】
【０００３】  しかしながらたとえば５分おきなど頻繁に電車が到着する場合はできるだけ多くの時刻を表示した方が便利だが表示数には限界がある。また表示し過ぎても見えにくい、あるいは直観的にどの程度の時間で目的の電車が来るかなど認識するのには限界がある。【０００４】  そこで、本発明の目的は、電車時刻などの複数のイベントの時刻または順番などを直観的に認識できる表示方法を提示することである。
【課題を解決するための手段】
【０００５】  本発明は、アナログ時計などのアナログ表示機上に１分毎などに点灯などをする表示デバイスを配置して、一度に複数のイベントの時間または順番などを表示する表示機である。
【発明の効果】
【０００６】  本発明によれば、複数のイベントの時刻または順番などを容易にかつ直観的に認識することができる。【０００７】  以下、本発明を実施するための最良の一形態について図面を参照して説明する。
［イベント表示アナログ時計］【０００８】  図１はアナログ時計に例えば電車の時刻を表示した例である。この時計は現在時刻１０時１１分を表示しており、黒点は列車の出発時刻を示す。これによりアナログ表示時刻の示す１０時１１分から１時間以内の全ての列車の出発時刻が一目で認識できる。また次の電車、次の次の電車などの現在時刻から目的とする電車までの時間を容易に認識することができる。またおおよそ３０分後に出発する電車など目的の時間帯の電車を認識することも容易となる。【０００９】  また図２のようにひとつの時刻に複数の表示機を配置すればさらに複数の状態を同時に表示することも可能となる。例えば登りと下りの電車を同時に表示するなどである。図２で言えば丸型表示が登りを角型表示が下りを示すなどである。また表示を色分けしても有用である。登りが青、下りが赤などである。【００１０】  さらにアナログ表示機内部などにデジタルまたはアナログなどの表示機を追加すれば表示可能なイベントや状態を大幅に増加することができる。図３は年月日、時刻を表示した例である。これにより日時の異なる複数のデータを例えばメモリーを備えたマイコンなどで保存、表示できるようにすれば、希望の年月日、時刻の例えば１時間内の時刻を一度に表示することが可能となる。例えば目的の年月日の１０時台、１１時台、１２時台など目的とする日時の希望の時間帯の１時間内のイベントを一度に表示できる。【００１１】  また図４のように表示内容に駅名や路線名などを用いれば希望する駅などの表示を認識することも容易となる。【００１２】  こういった使用方法は駅での使用のみならず本数の多い駅近くの商店や家庭などでも有用であり、また腕時計に使用して希望する駅に設定などすれば容易に乗るべき電車が認識できるなど有用である。【００１３】  またこれまで説明したものと同等の機能を例えばスマートホンなどの電子デバイスで実現することも有用である。
【図面の簡単な説明】
【００１４】
【図１】      本発明の実施形態であるイベント表示アナログ時計の図である。
【図２】      本発明の実施形態である複数の状態を表示するイベント表示アナログ時計の図である。
【図３】      本発明の実施形態である日時表示を追加したイベント表示アナログ時計の図である。
【図４】      本発明の実施形態である駅名、路線の表示を追加したイベント表示アナログ時計の図である。
【図１】
2015200624.tif 000003
【図２】
2015200624.tif 000004
【図３】
2015200624.tif 000005
【図４】
2015200624.tif 000006
(57)【要約】【課題】人間の体は、体型によってバランスよく水平に浮く人と足下がりの人、又頭下がりの人といろいろです。水泳のポイントは、重心と浮力中心を任意の位置に合わせることが重要です。【解決手段】この発明は、従来のサポーターでは、浮力はありませんが、これに、発泡素材・中空素材・有浮力素材を組み込んだサポーター、又は、発泡素材・中空素材・有浮力素材で、浮力の有る身体保護サポーターを作成し、このサポーターを、手や足や腰に着けて任意の浮力中心に調整するものです。【選択図】図１
2015200043.tif 000002
【特許請求の範囲】
【請求項１】
発泡素材・中空素材・有浮力素材で作成した、身体保護用サポーター及び発泡素材・中空素材・有浮力素材を組み込んだ身体保護用サポーター。
【請求項２】
発泡素材・中空素材・有浮力素材を組み込んだ身体保護用サポーター及び発泡素材・中空素材・有浮力素材で作成した、身体保護用サポーターを組み込んだ水泳着。
【発明の詳細な説明】
【技術分野】
【０００１】この発明は、水泳者の重心と浮力中心の調整に関する発明。
【背景技術】
【０００２】従来の身体保護用サポーターは、関節・筋肉・急所の保護が目的であった。本発明は、従来のサポーターでは、浮力はなかったが、これに、発泡素材・中空素材・有浮力素材を組み込んだサポーター、及び、発泡素材・中空素材・有浮力素材で作製した、浮力を有する身体保護サポーターに進化させた。
【先行技術】
【０００３】●  航空機において、重心と揚力中心を調整する技術。
●  タイヤホイールバランスを調整する技術。
【発明の概要】
【発明が解決しようとする課題】
【０００４】  人間の体は、体型によってバランスよく水平に浮く人と足下がりの人、又頭下がりの人といろいろです。水泳のポイントは、重心と浮力中心を任意の位置に合わせることにより、上達が容易になります。  そこで、この発明は、発泡素材・中空素材・有浮力製のサポーターを手や足や腰に着けて任意の浮力中心に調整するものです。
【課題を解決するための手段】
【０００５】☆  足下がりの水泳者には、足首にスイミングバランス−：（浮力の有るサポーター）を着けて水平になるように調整する。足が浮きすぎる際は、スイミングバランサーをカットして微調整を行うことができる。
☆  頭下がりの水泳者には、手首にスイミングバランサー：（浮力の有るサポーター）を着けて水平になるように調整する。頭が浮きすぎる際は、スイミングバランサーをカットして微調整を行うことができる。
☆  腰下がりの水泳者には、腰にスイミングバランサー：（浮力の有るサポーター）を着けて水平になるように調整する。腰が浮きすぎる際は、スイミングバランサーをカットして微調整を行うことができる。
【発明の効果】
【０００６】  スイミングバランサーを着けることにより、浮体姿勢が任意の角度になり、水泳力の９０％以上を推進力に変えることができ、推進速度が上がり、疲労も小さくなり、水泳距離も伸ばすことができる。又、体に密着するサポーターなので抵抗にならない。
【図面の簡単な説明】
【０００７】
【図１】この発明の一実施形態を示す斜視図である。
【図１】
2015200043.tif 000003